(57)【要約】【課題】  棚板を、簡単に前方に引き出すことができるとともに、棚板が、自重で原位置に復帰することができ、しかも構造が簡単であり、地震時等には、棚板がわずかに動揺して、免震と制震の両方の機能を発揮することができるようにした商品陳列棚を提供する。【解決手段】  左右の支柱１に棚受けブラケット３を前方に向けて突設し、この棚受けブラケット３に、棚板６を、スライドレール機構５を介して前後方向にスライド可能としてなる商品陳列棚において、スライドレール機構５における棚受けブラケット３に取付けられている固定ガイドレール７を、後ろ下がりに傾斜させる。【選択図】        図１
2008206770.tif 000002
【特許請求の範囲】
【請求項１】
左右の支柱に棚受けブラケットを前方に向けて突設し、この棚受けブラケットに、棚板を、スライドレール機構を介して前後方向にスライド可能としてなる商品陳列棚において、
前記スライドレール機構における棚受けブラケットに取付けられている固定ガイドレールを、後ろ下がりに傾斜させたことを特徴とする商品陳列棚。
【請求項２】
左右の棚受けブラケット同士の平行関係を保持するように、該棚受けブラケット同士を連結材をもって連結したことを特徴とする請求項１記載の商品陳列棚。
【請求項３】
棚板の上面を水平面としたことを特徴とする請求項１または２記載の商品陳列棚。
【請求項４】
スライドレール機構を、棚受けブラケットの内面に固定した固定ガイドレールと、棚板の側面に取付けた可動レールと、前記固定ガイドレールと可動レールとの間に介在され、前記固定ガイドレールおよび可動レールに対してスライド可能に嵌合された中間レールとを有するサスペンションレールとしたことを特徴とする請求項１〜３のいずれかに記載の商品陳列棚。
【請求項５】
スライドレール機構を、棚受けブラケットの内面に固定した固定ガイドレールと、この固定ガイドレールの前部に取付けられて、棚板の下面をガイドする前部ローラと、棚板の後部に取付けられ、前記固定ガイドレールに沿って転動する後部ローラとにより構成したことを特徴とする請求項１〜３のいずれかに記載の商品陳列棚。
【発明の詳細な説明】
【技術分野】
【０００１】
本発明は、前後方向にスライドする棚板を備えた商品陳列棚に関する。
【背景技術】
【０００２】
商品を陳列する棚は、棚板の上下間隔を狭くして、段数を多くする程、陳列点数が増加する。しかし、棚板の上下間隔を狭くすると、棚板の奥に載置されている商品は、視認し難く、かつ出し入れが困難となる。これを解消するため、棚板を手で前に引き出して、商品の補充や取り出しを行い、その後、元に戻すように、スライド可能とした棚板が提案されている（例えば、特許文献１参照）。
【特許文献１】特公昭６３−１３７５１号公報
【発明の開示】
【発明が解決しようとする課題】
【０００３】
特許文献１に記載されているものは、地震時等に棚板が動揺するのを防止するため、棚板を奥まで押し入れたとき、棚板が自動的に陳列棚本体に係止されるようにした係止手段を設けるとともに、この係止手段を、操作杆の操作により解除しうるようにしてある。
【０００４】
しかし、棚板を前方に引き出す際には、操作杆を操作して、係止手段を解除しなければならないため、操作が面倒であるとともに、構造が複雑化するという問題がある。
【０００５】
本発明は、従来の技術が有する上記のような問題点に鑑み、棚板を、簡単に前方に引き出すことができるとともに、棚板が、自重で自動的に原位置に復帰することができ、しかも構造が簡単であり、地震時等には、棚板がわずかに動揺して、免震と制震の両方の機能を発揮することができるようにした商品陳列棚を提供することを目的としている。
【課題を解決するための手段】
【０００６】
本発明によると、上記課題は次のようにして解決される。
(１) 左右の支柱に棚受けブラケットを前方に向けて突設し、この棚受けブラケットに、棚板を、スライドレール機構を介して前後方向にスライド可能としてなる商品陳列棚において、前記スライドレール機構における棚受けブラケットに取付けられている固定ガイドレールを、後ろ下がりに傾斜させる。
【０００７】
(２)上記(１)項において、左右の棚受けブラケット同士の平行関係を保持するように、該棚受けブラケット同士を連結材をもって連結する。
【０００８】
(３)上記(１)または(２)項において、棚板の上面を水平面とする。
【０００９】
(４)上記(１)〜(３)項のいずれかにおいて、スライドレール機構を、棚受けブラケットの内面に固定した固定ガイドレールと、棚板の側面に取付けた可動レールと、前記固定ガイドレールと可動レールとの間に介在され、前記固定ガイドレールおよび可動レールに対してスライド可能に嵌合された中間レールとを有するサスペンションレールとする。
【００１０】
(５)上記(１)〜(３)項のいずれかにおいて、スライドレール機構を、棚受けブラケットの内面に固定した固定ガイドレールと、この固定ガイドレールの前部に取付けられて、棚板の下面をガイドする前部ローラと、棚板の後部に取付けられ、前記固定ガイドレールに沿って転動する後部ローラとにより構成する。
【発明の効果】
【００１１】
本発明によると、次のような効果を奏することができる。
請求項１記載の発明によると、スライドレール機構における棚受けブラケットに取付けられている固定ガイドレールを、後ろ下がりに傾斜させてあるので、前方に引き出した棚板から手を離すと、棚板は、自動的に元の位置に後退し、ばねなどの復帰手段を用いることなく、簡単な構成で棚板の戻り機構を実現することができる。
また、従来のものにおけるような係止手段が存在しないので、その解除操作等を行うことなく、棚板を、簡単に前方に引き出すことができ、操作性がよい。
しかも、地震時等には、棚板がわずかに動揺した後、速やかに原位置に復帰し、免震と制震の両方の機能を発揮することができる。
【００１２】
請求項２記載の発明によると、棚受けブラケット同士を連結する連結材により、左右の棚受けブラケット同士の平行関係を保持することができる。
【００１３】
請求項３記載の発明によると、棚板の上面を水平面としてあるので、商品を安定よく載置することができる。
【００１４】
請求項４記載の発明によると、スライドレール機構を、サスペンションレールにより構成してあるので、棚板のスライド量を大きくとることができる。
【００１５】
請求項５記載の発明によると、スライドレール機構を、棚受けブラケットの内面に固定した固定ガイドレールと、この固定ガイドレールの前部に取付けられて、棚板の下面をガイドする前部ローラと、棚板の後部に取付けられ、前記固定ガイドレールに沿って転動する後部ローラとにより構成してあるので、構造を簡素化することができる。
【発明を実施するための最良の形態】
【００１６】
以下、本発明の実施の形態を、添付図面を参照して説明する。
図１は、本発明の第１実施形態の要部の側面図、図２は、同じく、要部の縦断正面図、図３は、同じく、分解斜視図である。
【００１７】
図１および図２に示すように、左右の支柱１の前面に設けられた係止孔２に、棚受けブラケット３の後端に設けた係止爪４を係止させることにより、左右１対の棚受けブラケット３、３は、各支柱１の前面より前方に向けて突設されている。
【００１８】
図２および図３に示すように、左右の棚受けブラケット３、３の内側には、スライドレール機構５が設けられ、棚板６は、このスライドレール機構５を介して、前後方向にスライド可能に支持されている。
【００１９】
スライドレール機構５は、棚受けブラケット３の内側に取付けられた固定ガイドレール７と、棚板６の側面に取付けられた可動レール８と、固定ガイドレール７と可動レール８との間に、前後方向に摺動可能として介在された中間レール９とを備える公知のダブルサスペンションレールとしてある。
【００２０】
固定ガイドレール７および可動レール８は、断面ほぼＣ字形のもので、中間レール９の上下左右に形成されている受け片９ａと固定ガイドレール７および可動レール８との間にボール１０が介在されている（図２参照）。
【００２１】
図３に示すように、連結材１２は、左右方向を向く連結板１３の両端に、互いに平行をなして前後方向を向く左右１対の側板１４、１４が設けられたもので、側板１４は、固定ガイドレール７と棚受けブラケット３との間に挟まれ、止ねじ１５をもって、棚受けブラケット３に固着されている。これにより、左右の棚受けブラケット３、３同士の平行関係を保持するようになっている。
【００２２】
棚板６は、上面板１６の後端に起立片１７、前端にＵ状の折曲片１８が設けられた一枚の鋼板からなり、上面板１６の下面両側には、断面Ｌ字形のブラケット１９が固着され、このブラケット１９は、可動レール８に止ねじ２０をもって固着されている（図２参照）。
【００２３】
スライドレール機構５は、支柱１の前面（垂直線Ｌ）に対する角度αが、９０度より若干小さい、すなわち、スライドレール機構５のスライド軌道を後部が若干下位となる後ろ下がりに傾斜させて、棚受けブラケット３および側板１４に固着されている。
この例では、棚板６の上面板１６も、スライドレール機構５と平行に、後下向き傾斜するようにしてある。
【００２４】
図１に示す下段の棚板６のように、棚板６を手動で前上方（図１の左方）に引き出すと、可動レール８は、棚板６と一体となって、また中間レール９は、棚板６の移動量のほぼ半分の移動量だけ、それぞれ固定ガイドレール７に対して前上方にスライドし、棚板６を保持する。
【００２５】
棚板６を引き出した状態で、棚板６上に商品を載置した後、棚板６から手を離すと、棚板６は自重で後方にスライドし、商品陳列位置（図１の上段）に復帰する。
【００２６】
スライドレール機構５のスライド軌道を後ろ下がりに傾斜させるには、図示のように、棚受けブラケット３を後ろ下がりに傾斜させてもよいし、あるいは、棚受けブラケット３は水平状態で、スライドレール機構５のみを棚受けブラケット３に対して傾斜させて取付けてもよい。
【００２７】
図４は、本発明の第２実施形態の要部の中央縦断側面図、図５は、同じく、分解斜視図である。なお、第１実施形態におけるのと同一または類似の部材には、同一の符号をもって図示するに止め、それらについての詳細な説明は省略する。
棚板６の両側端には、左右１対の側板２１、２１が固着され、両側板２１、２１の下端には、下面がガイド面となる後下向き傾斜する内向き折曲片２１ａ、２１ａが設けられている。この内向き折曲片２１ａの後部下面には、板状の当接片２１ｂが固着されている。
【００２８】
内向き折曲片２１ａ、２１ａの後部内端には、垂下片２１ｃ、２１ｃが連設されており、この垂下片２１ｃ、２１ｃの外側面には、後部ローラ２２が、左右方向を向く軸２３をもって枢着されている。
【００２９】
連結材１２は、左右方向を向く連結板１３の両端に、断面内向きコ字状をなして前後方向を向く左右１対の固定ガイドレール２４、２４が固着されたものよりなっている。
【００３０】
各固定ガイドレール２４は、第１実施形態と同様、支柱１の前面（垂直線Ｌ）に対する角度αが９０度より若干小さい角度をなすように、すなわち、固定ガイドレール２４の軌道が、後ろ下がりに傾斜するようにして、棚受けブラケット３の内面に、止ねじ２５をもって固着され、前部内面には、前部ローラ２６が、左右方向を向く軸２７をもって枢着されている。また、各固定ガイドレール２４の前部上面には、棚板６を前限まで引き出したとき、当接片２１ｃに当接して、棚板６のそれ以上の前進を阻止する板状のストッパ２８が固着されている。
【００３１】
後下がり傾斜する固定ガイドレール２４に対して、棚板６は、その上面板１６が水平面をなすように保持されている。このように、上面板１６が常に水平面をなすことにより、商品を安定して載置することができる。なお、第１実施形態においても、同様に上面板１６が水平面をなすように構成することもできる。
【００３２】
左右の前部ローラ２６、２６上には、棚板６における内向き折曲片２１ａ、２１ａの下面が、前後方向に移動自在として載置され、また、後部ローラ２２は、固定ガイドレール２４内に嵌合され、固定ガイドレール２４に沿って、前後方向に転動するようになっている。
【００３３】
第２実施形態においては、固定ガイドレール２４、後部ローラ２２、前部ローラ２６等により、スライドレール機構５が形成されている。
【００３４】
図４に示すように、棚板６を手動で前方（図４の左方）に引き出すと、棚板６は、前部ローラ２６上を前方に向けてスライドするとともに、後部ローラ２２は、固定ガイドレール２４内を転動しつつ前方に移動する。
【００３５】
棚板６を前限まで引き出したとき、当接片２１ｃがストッパ２８に当接して、棚板６はその位置に停止させられ、前部ローラ２６と後部ローラ２２とにより保持される。
【００３６】
棚板６を前限まで引き出した状態で、棚板６上に商品を載置した後、棚板６から手を離すと、棚板６は、自重で後方にスライドし、商品陳列位置（図４の上段）に復帰する。この例では、このとき、棚板６の前端部を下方に折り返して形成した折り返し部２９が、棚受けブラケット３の前端に当接して、停止するようにしてある。
【００３７】
本発明は、上記実施形態のみに限定されるものではなく、特許請求の範囲を逸脱することなく、幾多の変形した態様での実施が可能である。
例えば、スライドレール機構５は、上記各実施形態の構造とは異なる他の周知のスライドレール機構を使用することができる。
【図面の簡単な説明】
【００３８】
【図１】本発明の第１実施形態の要部の側面図である。
【図２】同じく、要部の縦断正面図である。
【図３】同じく、分解斜視図である。
【図４】本発明の第２実施形態の要部の中央縦断側面図である。
【図５】同じく、分解斜視図である。
【符号の説明】
【００３９】
１  支柱
２  係止孔
３  棚受けブラケット
４  係止爪
５  スライドレール機構
６  棚板
７  固定ガイドレール
８  可動レール
９  中間レール
９ａ受け片
１０  ボール
１２  連結材
１３  連結板
１４  側板
１５  止ねじ
１６  上面板
１７  起立片
１８  折曲片
１９  ブラケット
２０  止ねじ
２１  側板
２１ａ内向き折曲片
２１ｂ当接片
２１ｃ垂下片
２２  後部ローラ
２３  軸
２４  固定ガイドレール
２５  止ねじ
２６  前部ローラ
２７  軸
２８  ストッパ
２９  折り返し部
【図１】
2008206770.tif 000003
【図２】
2008206770.tif 000004
【図３】
2008206770.tif 000005
【図４】
2008206770.tif 000006
【図５】
2008206770.tif 000007